(57)【特許請求の範囲】
【請求項１】
船舶の船首部に船首バルブを有する船首形状であって、前記船首バルブのステムラインを上下２段に形成し、下段バルブを上段バルブよりも前方に突出させるとともに、前記下段バルブの上面が、前記船舶のバラスト状態での走行時に、船舶毎の代表的な速度として設計時に設定されている航海速力で波の無い状態である平水中を走行するときに生じる水面の盛り上がり位置であるバラスト状態・静的水位上昇位置よりも上方で、かつ前記航海速力での走行時に波浪が前記下段バルブの前記上面を乗り越える位置となるように形成したことを特徴とする波浪中抵抗増加軽減船首形状。
【請求項２】
前記ステムラインの前記下段バルブの先端上部の変曲部位を、前記船舶のバラスト状態での静止時の静止水面位置よりも上方に位置するように形成したことを特徴とする請求項１に記載の波浪中抵抗増加軽減船首形状。
【請求項３】
前記下段バルブの前記上面が後方に向けて前記先端上部から一旦上昇した後、下降し再び上昇して前記上段バルブに繋がるグーズネック形状を成していることを特徴とする請求項２に記載の波浪中抵抗増加軽減船首形状。
【請求項４】
前記上段バルブの上面を、前記船舶の満載状態での走行時に、前記航海速力で波の無い状態である平水中を走行するときに生じる水面の盛り上がり位置である満載状態・静的水位上昇位置よりも下方に位置するように形成したことを特徴とする請求項１から請求項３のうちの１項に記載の波浪中抵抗増加軽減船首形状。
【請求項５】
前記上段バルブを部分的に前方に再突出させたことを特徴とする請求項１から請求項４のうちの１項に記載の波浪中抵抗増加軽減船首形状。
【請求項６】
船舶の船首部に船首バルブを有する船首形状であって、前記船首バルブのフレームラインを上下２段に形成し、下段バルブを上段バルブよりも幅方向に張り出させるとともに、前記下段バルブの上面が、前記船舶のバラスト状態での走行時に、船舶毎の代表的な速度として設計時に設定されている航海速力で波の無い状態である平水中を走行するときに生じる水面の盛り上がり位置であるバラスト状態・静的水位上昇位置よりも上方で、かつ前記航海速力での走行時に波浪が前記下段バルブの前記上面を乗り越える位置となるように形成したことを特徴とする波浪中抵抗増加軽減船首形状。
【請求項７】
前記フレームラインの前記下段バルブの両側上端部の変曲部位を、前記船舶のバラスト状態での静止時の静止水面位置よりも上方に位置するように形成したことを特徴とする請求項６に記載の波浪中抵抗増加軽減船首形状。
【請求項８】
前記下段バルブの前記上面が幅方向に向けて、先端側が隆起し後端側が沈降する形状を成していることを特徴とする請求項７に記載の波浪中抵抗増加軽減船首形状。
【請求項９】
前記上段バルブの上面を、前記船舶の満載状態での走行時に、前記航海速力で波の無い状態である平水中を走行するときに生じる水面の盛り上がり位置である満載状態・静的水位上昇位置よりも下方に位置するように形成したことを特徴とする請求項６から請求項８のうちの１項に記載の波浪中抵抗増加軽減船首形状。
【請求項１０】
前記上段バルブを部分的に幅方向に再張り出しさせたことを特徴とする請求項６から請求項９のうちの１項に記載の波浪中抵抗増加軽減船首形状。
【請求項１１】
前記船首バルブに造波を誘起させる突起を形成したことを特徴とする請求項６から請求項１０のうちの１項に記載の波浪中抵抗増加軽減船首形状。
【請求項１２】
前記突起を前記船舶の幅方向に収納、張り出し可能に構成したことを特徴とする請求項１１に記載の波浪中抵抗増加軽減船首形状。
【請求項１３】
請求項１から請求項１２のうちの１項に記載の波浪中抵抗増加軽減船首形状を採用したことを特徴とする波浪中抵抗増加軽減船首形状を有した船舶。
【請求項１４】
前記船舶が肥大船であることを特徴とする請求項１３に記載の波浪中抵抗増加軽減船首形状を有した船舶。
【請求項１５】
前記船舶の速度設定手段を、前記航海速力を含めた波浪中抵抗増加軽減に対応した速力が設定可能な構成としたことを特徴とする請求項１３又は請求項１４に記載の波浪中抵抗増加軽減船首形状を有した船舶。
【発明の詳細な説明】
【技術分野】
【０００１】
本発明は、船舶の波浪中抵抗増加を軽減する波浪中抵抗増加軽減船首形状及び波浪中抵抗増加軽減船首形状を有した船舶に関する。
【背景技術】
【０００２】
肥大船などの船舶に設けられる船首バルブは、バラスト状態では海面から露出するため、バラスト状態での走行時において波浪中抵抗増加の原因となる。
ここで、特許文献１には、肥形船型において、船首垂線がバラスト状態の吃水面とその吃水面にほぼ垂直に形成された船首材前縁との交点よりも後方に位置し、バラスト状態における船首吃水に略等しい直径の球状バルブがバラスト状態の吃水線下において船首材前縁よりも前方へ突設するようにして、推進性能を向上させることが開示されている。
また、特許文献２には、肥大船において、バラスト走行時に水中に没しない上面を有する満載用バルブと、この満載用バルブの先に突出して設けられてバラスト走行時に完全に水没するバラスト用バルブとを備え、かつ、バラスト用バルブのバラスト吃水での水線形状が、船体部とほぼ直線的につながっているとともに先端で尖らせることにより、バラスト走行時の船体抵抗を減少させることが開示されている。
また、特許文献３には、満載吃水状態での航行時における造波抵抗を減少させる第１の船首バルブと、第１の船首バルブの下方に配設されバラスト吃水状態での航行時における造波抵抗を減少させる第２の船首バルブを備えた船首バルブ付き船型が開示されている。
【先行技術文献】
【特許文献】
【０００３】
【特許文献１】実公昭４９−３１３５２号公報
【特許文献２】特開昭６１−２９１２８６号公報
【特許文献３】実願昭５８−２５４３０号（実開昭５９−１３１３９４号）のマイクロフィルム
【発明の概要】
【発明が解決しようとする課題】
【０００４】
ところで、バラスト状態での走行時において、船速や波高が変わると船首バルブへの波のかかり方が変わる。図１２は従来形状の船首バルブを有する船舶の船首部の側面図である。例えばこの図に示すように、船首部１０において、船速が高速のときに波高が大きい波ＸＬが来ると船首バルブの上部にかかり、船速が中速のときに波高がやや大きい波ＸＭが来ると船首バルブの中央部にかかり、船速が低速のときに波高が小さい波ＸＳが来ると船首バルブの下部にかかる。また、従来、波浪中抵抗は船速に対し単調増加すると考えられていた。
これに対し、発明者らは、船首バルブを有した船舶についての実験の結果、図１３の船速−波浪中抵抗増加の関係に示す通り、波浪中抵抗は一定の船速までは単調増加するが、その一定の船速を越えると単調減少することを見出した。図１３において、横軸はフルード数（Ｆｎ）で示した船速であり、縦軸は波浪中抵抗増加係数（ＫAW）である。Ｆｎ＝０．１３までは波浪中抵抗増加係数（ＫAW）が単調増加し、Ｆｎ＝0．１３を超えると単調減少していることが分かる。
このように一定の船速を越えると波浪中抵抗が単調減少するのは、波は船速が遅いときは船首バルブを乗り越えられないが、船速が速いときは波高が高くなり船首バルブを乗り越えることができるためであり、波浪や静的水位上昇位置を考慮したバルブ形状とすることによって波浪中抵抗増加を軽減できると考えられる。
しかし、特許文献１から特許文献３に記載の発明は、いずれも波浪や静的水位上昇位置に着目したバルブ形状によって波浪中抵抗増加を軽減させるものではない。
【０００５】
そこで、本発明は、波浪や静的水位上昇位置に着目して、船舶がバラスト状態であっても波浪中抵抗増加を軽減できる、波浪中抵抗増加軽減船首形状及び波浪中抵抗増加軽減船首形状を有した船舶を提供することを目的とする。
【課題を解決するための手段】
【０００６】
請求項１記載に対応した波浪中抵抗増加軽減船首形状においては、 船舶の船首部に船首バルブを有する船首形状であって、船首バルブのステムラインを上下２段に形成し、下段バルブを上段バルブよりも前方に突出させるとともに、下段バルブの上面が、船舶のバラスト状態での走行時に、船舶毎の代表的な速度として設計時に設定されている航海速力で波の無い状態である平水中を走行するときに生じる水面の盛り上がり位置であるバラスト状態・静的水位上昇位置よりも上方で、かつ航海速力での走行時に波浪が下段バルブの上面を乗り越える位置となるように形成したことを特徴とする。請求項１に記載の本発明によれば、バラスト状態での走行時に、航海速力（高速）のときは船首バルブにかかる波が小さい場合でも下段バルブを波が乗り越えることができ、また、低速〜中速力のときでも船首バルブにかかる波が大きい場合には下段バルブを波が乗り越えることができる。したがって、バラスト状態での航海速力（高速）走行時に波浪中での抵抗増加が大きくなってしまう要因である小さい波〜大きい波、また低速〜中速力での大きい波に対して、波浪が下段バルブの上面を乗り越えることができるので、波浪中抵抗増加を軽減することができる。
【０００７】
請求項２記載の本発明は、ステムラインの下段バルブの先端上部の変曲部位を、船舶のバラスト状態での静止時の静止水面位置よりも上方に位置するように形成したことを特徴とする。請求項２に記載の本発明によれば、バラスト状態での波浪中の走行時において、船首バルブを波が乗り越えることによる波浪中抵抗増加軽減効果を確実に得ることができる。
【０００８】
請求項３記載の本発明は、下段バルブの上面が後方に向けて先端上部から一旦上昇した後、下降し再び上昇して上段バルブに繋がるグーズネック形状を成していることを特徴とする。請求項３に記載の本発明によれば、波の乗り上げ部である下段バルブの上面をより広くすることができる。
【０００９】
請求項４記載の本発明は、上段バルブの上面を、船舶の満載状態での走行時に、航海速力で波の無い状態である平水中を走行するときに生じる水面の盛り上がり位置である満載状態・静的水位上昇位置よりも下方に位置するように形成したことを特徴とする。請求項４に記載の本発明によれば、満載状態での走行時において、船首バルブによる造波抵抗減少効果を確実に得ることができる。
【００１０】
請求項５記載の本発明は、上段バルブを部分的に前方に再突出させたことを特徴とする。請求項５に記載の本発明によれば、上段バルブの波が乗り上がる部分を広くすることができ、上段バルブを乗り越える大きい波が発生する状態において、船首バルブによる波浪中抵抗軽減効果を高めることができる。また、満載状態での走行時において、船首バルブによる造波抵抗減少効果を従来型船首バルブと同等に維持することができる。
【００１１】
請求項６記載に対応した波浪中抵抗増加軽減船首形状においては、船舶の船首部に船首バルブを有する船首形状であって、船首バルブのフレームラインを上下２段に形成し、下段バルブを上段バルブよりも幅方向に張り出させるとともに、下段バルブの上面が、船舶のバラスト状態での走行時に、船舶毎の代表的な速度として設計時に設定されている航海速力で波の無い状態である平水中を走行するときに生じる水面の盛り上がり位置であるバラスト状態・静的水位上昇位置よりも上方で、かつ航海速力での走行時に波浪が下段バルブの上面を乗り越える位置となるように形成したことを特徴とする。請求項６に記載の本発明によれば、バラスト状態での走行時に、航海速力（高速）のときは船首バルブにかかる波が小さい場合でも下段バルブを波が乗り越えることができ、また、低速〜中速力のときでも船首バルブにかかる波が大きい場合には下段バルブを波が乗り越えることができる。したがって、バラスト状態での航海速力（高速）走行時に波浪中での抵抗増加が大きくなってしまう要因である小さい波〜大きい波、また低速〜中速力での大きい波に対して、波浪が下段バルブの上面を乗り越えることができるので、波浪中抵抗増加を軽減することができる。
【００１２】
請求項７記載の本発明は、フレームラインの下段バルブの両側上端部の変曲部位を、船舶のバラスト状態での静止時の静止水面位置よりも上方に位置するように形成したことを特徴とする。請求項７に記載の本発明によれば、バラスト状態での波浪中の走行時において、船首バルブを波が乗り越えることによる波浪中抵抗増加軽減効果を確実に得ることができる。
【００１３】
請求項８記載の本発明は、下段バルブの上面が幅方向に向けて、先端側が隆起し後端側が沈降する形状を成していることを特徴とする。請求項８に記載の本発明によれば、波の乗り上げ部である下段バルブの上面をより広くすることができる。
【００１４】
請求項９記載の本発明は、上段バルブの上面を、船舶の満載状態での走行時に、航海速力で波の無い状態である平水中を走行するときに生じる水面の盛り上がり位置である満載状態・静的水位上昇位置よりも下方に位置するように形成したことを特徴とする。請求項９に記載の本発明によれば、満載状態での走行時において、船首バルブによる造波抵抗減少効果を確実に得ることができる。
【００１５】
請求項１０記載の本発明は、上段バルブを部分的に幅方向に再張り出しさせたことを特徴とする。請求項１０に記載の本発明によれば、上段バルブの波が乗り上がる部分を広くすることができ、上段バルブを乗り越える大きい波が発生する状態において、船首バルブによる波浪中抵抗軽減効果を高めることができる。また、満載状態での走行時において、船首バルブによる造波抵抗減少効果を従来型船首バルブと同等に維持することができる。
【００１６】
請求項１１記載の本発明は、船首バルブに造波を誘起させる突起を形成したことを特徴とする。請求項１１に記載の本発明によれば、突起により船首バルブにかかる波が誘起され、中速、低速時であっても船首バルブを波が乗り越えやすくなるので、波浪中抵抗増加軽減効果を大きくすることができる。
【００１７】
請求項１２記載の本発明は、突起を船舶の幅方向に収納、張り出し可能に構成したことを特徴とする。請求項１２に記載の本発明によれば、例えば突起が水面より下方となる場合などは収納し、突起による摩擦抵抗増加を軽減することができる。
【００１８】
請求項１３記載に対応した波浪中抵抗増加軽減船首形状を有した船舶においては、波浪中抵抗増加軽減船首形状を採用したことを特徴とする。請求項１３に記載の本発明によれば、船舶において、波浪中抵抗増加を軽減することができる。
【００１９】
請求項１４記載の本発明は、船舶が肥大船であることを特徴とする。請求項１４に記載の本発明によれば、肥大船において、波浪中抵抗増加を軽減することができる。
【００２０】
請求項１５記載の本発明は、船舶の速度設定手段を、航海速力（高速）を含めた波浪中抵抗増加軽減に対応した速力が設定可能な構成としたことを特徴とする。請求項１５に記載の本発明によれば、波浪が下段バルブの上面を乗り越える位置となるような船の速力を容易に設定することができる。したがって、船首バルブによる波浪中抵抗増加軽減効果を確実に得ることができる。
【発明の効果】
【００２１】
本発明によれば、バラスト状態での走行時に、航海速力（高速）のときは船首バルブにかかる波が小さい場合でも下段バルブを波が乗り越えることができ、また、低速〜中速力のときでも船首バルブにかかる波が大きい場合には下段バルブを波が乗り越えることができる。したがって、バラスト状態での航海速力（高速）走行時に波浪中での抵抗増加が大きくなってしまう要因である小さい波〜大きい波、また低速〜中速力での大きい波に対して、波浪が下段バルブの上面を乗り越えることができるので、波浪中抵抗増加を軽減することができる。
【００２２】
また、ステムラインの下段バルブの先端上部の変曲部位を、船舶のバラスト状態での静止時の静止水面位置よりも上方に位置するように形成した場合には、バラスト状態での波浪中の走行時において、船首バルブを波が乗り越えることによる波浪中抵抗増加軽減効果を確実に得ることができる。
【００２３】
また、下段バルブの上面が後方に向けて先端上部から一旦上昇した後、下降し再び上昇して上段バルブに繋がるグーズネック形状を成している場合には、波の乗り上げ部である下段バルブの上面をより広くすることができる。
【００２４】
また、上段バルブの上面を、船舶の満載状態での走行時に、航海速力で波の無い状態である平水中を走行するときに生じる水面の盛り上がり位置である満載状態・静的水位上昇位置よりも下方に位置するように形成した場合には、満載状態での走行時において、船首バルブによる造波抵抗減少効果を確実に得ることができる。
【００２５】
また、上段バルブを部分的に前方に再突出させた場合には、上段バルブの波が乗り上がる部分を広くすることができ、上段バルブを乗り越える大きい波が発生する状態において、船首バルブによる波浪中抵抗軽減効果を高めることができる。また、満載状態での走行時において、船首バルブによる造波抵抗減少効果を従来型船首バルブと同等に維持することができる。
【００２６】
また、船舶の船首部に船首バルブを有する船首形状であって、船首バルブのフレームラインを上下２段に形成し、下段バルブを上段バルブよりも幅方向に張り出させるとともに、下段バルブの上面が、船舶のバラスト状態での走行時に船舶毎の代表的な速度として設計時に設定されている航海速力で波の無い状態である平水中を走行するときに生じる水面の盛り上がり位置であるバラスト状態・静的水位上昇位置よりも上方で、かつ航海速力での走行時に波浪が下段バルブの上面を乗り越える位置となるように形成した場合には、バラスト状態での走行時に、航海速力（高速）のときは船首バルブにかかる波が小さい場合でも下段バルブを波が乗り越えることができ、また、低速〜中速力のときでも船首バルブにかかる波が大きい場合には下段バルブを波が乗り越えることができる。したがって、バラスト状態での航海速力（高速）走行時に波浪中での抵抗増加が大きくなってしまう要因である小さい波〜大きい波、また低速〜中速力での大きい波に対して、波浪が下段バルブの上面を乗り越えることができるので、波浪中抵抗増加を軽減することができる。
【００２７】
また、フレームラインの下段バルブの両側上端部の変曲部位を、船舶のバラスト状態での静止時の静止水面位置よりも上方に位置するように形成した場合には、バラスト状態での波浪中の走行時において、船首バルブを波が乗り越えることによる波浪中抵抗増加軽減効果を確実に得ることができる。
【００２８】
また、下段バルブの上面が幅方向に向けて、先端側が隆起し後端側が沈降する形状を成している場合には、波の乗り上げ部である下段バルブの上面をより広くすることができる。
【００２９】
また、上段バルブの上面を、船舶の満載状態での走行時に、航海速力で波の無い状態である平水中を走行するときに生じる水面の盛り上がり位置である満載状態・静的水位上昇位置よりも下方に位置するように形成した場合には、満載状態での走行時において、船首バルブによる造波抵抗減少効果を確実に得ることができる。
【００３０】
また、上段バルブを部分的に幅方向に再張り出しさせた場合には、上段バルブの波が乗り上がる部分を広くすることができ、バラスト状態での航海速力走行時など、上段バルブを乗り越える大きい波が発生する状態において、船首バルブによる波浪中抵抗軽減効果を高めることができる。また、満載状態での走行時において、船首バルブによる造波抵抗減少効果を従来型船首バルブと同等に維持することができる。
【００３１】
また、船首バルブに造波を誘起させる突起を形成した場合には、突起により船首バルブにかかる波が誘起され、中速・低速時であっても船首バルブを波が乗り越えやすくなるので、波浪中抵抗増加軽減効果を大きくすることができる。
【００３２】
また、突起を船舶の幅方向に収納、張り出し可能に構成した場合には、例えば突起が水面より下方となる場合などは収納し、突起による摩擦抵抗増加を軽減することができる。
【００３３】
また、船舶に波浪中抵抗増加軽減船首形状を採用した場合には、船舶において、波浪中抵抗増加を軽減することができる。
【００３４】
また、船舶が肥大船である場合には、肥大船において、波浪中抵抗増加を軽減することができる。
【００３５】
また、船舶の速度設定手段を、航海速力（高速）を含めた波浪中抵抗増加軽減に対応した速力が設定可能な構成とした場合には、波浪が下段バルブの上面を乗り越える位置となるような船の速力を容易に設定することができる。したがって、船首バルブによる波浪中抵抗増加軽減効果を確実に得ることができる。
【図面の簡単な説明】
【００３６】
【図１】本発明の一実施形態による波浪中抵抗増加軽減船首形状を示す図
【図２】同波浪中抵抗増加軽減船首形状における船速と波浪の関係を説明する図
【図３】同波浪中抵抗増加軽減船首形状における波高の定義を説明する図
【図４】同波浪中抵抗増加軽減船首形状による波浪中抵抗増加軽減を示す図
【図５】本発明の他の実施形態による波浪中抵抗増加軽減船首形状を示す図
【図６】本発明の更に他の実施形態による波浪中抵抗増加軽減船首形状を示す図
【図７】本発明の更に他の実施形態による波浪中抵抗増加軽減船首形状を示す図
【図８】本発明の更に他の実施形態による波浪中抵抗増加軽減船首形状を示す図
【図９】本発明の更に他の実施形態による波浪中抵抗増加軽減船首形状を示す図
【図１０】本発明の更に他の実施形態による波浪中抵抗増加軽減船首形状を示す図
【図１１】本発明の更に他の実施形態による波浪中抵抗増加軽減船首形状を示す図
【図１２】従来の形状の船首バルブにかかる波の状態を示す図
【図１３】従来の形状の船首バルブにおける船速−波浪中抵抗増加の関係を示す図
【発明を実施するための形態】
【００３７】
以下に、本発明の実施形態による波浪中抵抗増加軽減船首形状及び波浪中抵抗増加軽減船首形状を有した船舶について説明する。
図１は本発明の一実施形態による波浪中抵抗増加軽減船首形状を示す図であり、図１（ａ）は側面図、図１（ｂ）は正面図である。また、図２は同波浪中抵抗増加軽減船首形状における船速と波浪の関係を説明する図、図３は同波浪中抵抗増加軽減船首形状における波高の定義を説明する図、図４は同波浪中抵抗増加軽減船首形状による波浪中抵抗増加軽減を示す図である。
【００３８】
図１に示すように、本実施形態の波浪中抵抗増加軽減船首形状は、船舶の船首部１０に船首バルブ２０を有する船首形状である。なお、図１（ａ）及び（ｂ）において、Ｂはバラスト状態での喫水線である静止時の静止水面位置を、Ｃは満載喫水線を示し、図１（ｂ）において、一点鎖線Ｙは船体中心線を示している。
船首バルブ２０のステムライン１１を上下２段に形成し、下段バルブ２１を上段バルブ２２よりも前方に突出させるとともに、下段バルブ２１の上面２１ａが、船舶のバラスト状態での走行時に、船舶毎の代表的な速度として設計時に設定されている航海速力（高速）で波の無い状態である平水中を走行するときに生じる水面の盛り上がり位置であるバラスト状態・静的水位上昇位置ＡＳよりも上方で、かつ航海速力での走行時に波浪（波高が小さい波Ｘｓ〜波高が大きい波ＸＬ）が下段バルブ２１の上面２１ａを乗り越える位置となるように形成される。
【００３９】
図１において、破線２１０は従来型船首バルブ（１段）の形状を仮想的に示している。  先に説明したように、バラスト状態での走行時において、船速や波高が変わると船首バルブへの波のかかり方が変わり、船速が高速になるほど、また波高が大きくなるほど船首バルブの上部に波がかかりやすくなる。しかし、従来型船首バルブの形状では、船首バルブの上面が高い位置にあるため、波高が大きい波ＸＬが発生する状態であっても、船舶が低〜中速力で走行するときには、波は船首バルブを乗り越えることができない。また、船舶が高速（航海速力）で走行するときであっても、波高がやや大きい波ＸＭ又は波高が小さい波ＸＳが発生する状態の場合には、波は船首バルブを乗り越えることができない。
これに対し、本実施形態においては、上記のようにバラスト状態・静的水位上昇位置ＡＳと波浪を考慮して船首バルブ２０を上下２段に形成しているので、波高が大きい波ＸＬが発生する状態において、船舶が高速（航海速力）で走行するときは大きい波ＸＬは上段バルブ２２の上面２２ａを乗り越えることができ（図２（ａ））、船舶が低〜中速力で走行するときは波高が大きい波ＸＬは下段バルブ２１の上面２１ａを乗り越えることができる（図２（ｂ）、（ｃ））。また、波高がやや大きい波ＸＭが発生する状態において、船舶が高速（航海速力）で走行するときはやや大きい波ＸＭは下段バルブ２１の上面２１ａを乗り越えることができ（図２（ｄ））、船舶が低〜中速力で走行するときもやや大きい波ＸＭは下段バルブ２１の上面２１ａを乗り越えることができる（図２（ｅ）、（ｆ））。また、波高が小さい波ＸＳが発生する状態において、船舶が低〜中速力で走行するときは波高が小さい波ＸＳは下段バルブ２１の上面２１ａを乗り越えることができないが（図２（ｈ）、（ｉ））、船舶が高速（航海速力）で走行するときは波高が小さい波ＸＳであっても下段バルブ２１の上面２１ａを乗り越えることができる（図２（ｇ））。
なお、波高が大きい波・小さい波とは、図３に示すように、下段バルブ２１の高さをhBとすると、概ね波高がhB／２よりも高い場合を「波高が大きい波ＸＬ」、低い場合を「波高が小さい波ＸＳ」とする。また、「波高がやや大きい波ＸＭ」として、「波高が大きい波ＸＬ」と「波高が小さい波ＸＳ」の中間である波高がhB／２前後の波を言う場合もある。
また、大きい波ＸＬの波高をも超える「非常に大きい波」が発生する状態においては、低速〜中速力のときでも波は上段バルブ２２の上面２２ａを乗り越えることもある。
このように、バラスト状態での走行時に、航海速力（高速）のときは船首バルブ２０にかかる波が小さい場合でも下段バルブ２１を波（波高が小さい波ＸＳ）が乗り越えることができ、また、低速〜中速力のときでも船首バルブ２０にかかる波が大きい場合には下段バルブ２１を波（波高が大きい波ＸＬ、波高がやや大きい波ＸＭ）が乗り越えることができる。したがって、バラスト状態での航海速力（高速）走行時に波浪中での抵抗増加が大きくなってしまう要因である小さい波ＸＳ、波高が大きい波ＸＬ、また低速〜中速力での波高が大きい波ＸＬに対して、波浪が下段バルブ２１の上面２１ａを乗り越えることができるので、図４に示すように、航海速力（高速）で走行するときだけでなく、低〜中速で走行するときにも従来型船首バルブに比べて波浪中抵抗増加を軽減することができる。
【００４０】
また、本実施形態においては、ステムライン１１の下段バルブ２１の先端上部の変曲部位３０を、船舶のバラスト状態での静止時の静止水面位置Ｂよりも上方に位置するように形成している。このように形成することで、バラスト状態での波浪中の走行時において、船首バルブ２０を波が乗り越えることによる波浪中抵抗増加軽減効果を確実に得ることができる。
また、従来型船首バルブの先端側の一部を切り取るようにして船首バルブ２０を上下２段に形成しているので、従来型船首バルブを船舶に適用する場合と比べて船長は変わらない。
【００４１】
さらに、本実施形態においては、、上段バルブ２２の上面２２ａを、船舶の満載状態での走行時に、航海速力（高速）で波の無い状態である平水中を走行するときに生じる水面の盛り上がり位置である満載状態・静的水位上昇位置ＡＬよりも下方に位置するように形成している。満載状態・静的水位上昇位置ＡＬよりも下方に位置するように上段バルブ２２の上面２２ａを形成することで、満載状態での走行時において、船首バルブ２０による造波抵抗減少効果を確実に得ることができる。
【００４２】
図５は本発明の他の実施形態による波浪中抵抗増加軽減船首形状を示す図であり、図５（ａ）は側面図、図５（ｂ）は正面図である。なお、上記実施形態と同一機能部材には同一符号を付して説明を省略する。
【００４３】
本実施形態は、下段バルブ２１を上段バルブ２２よりも前方に突出させて船首バルブ２０のステムライン１１を上下２段に形成し、さらに、上段バルブ２２の先端上部を前方へ突出させている。なお、上段バルブ２２の突出させた先端上部の部分は、下段バルブ２１の先端よりも前方には突出していない。
このように、上段バルブ２２を部分的に前方に再突出させることによって、上段バルブ２２の波が乗り上がる部分である上面２２ａを広くすることができ、バラスト状態での航海速力走行時に上段バルブ２２を乗り越える波高が大きい波ＸＬが発生する状態において、船首バルブ２０による波浪中抵抗軽減効果を高めることができる。また、満載状態での走行時において、船首バルブ２０による造波抵抗減少効果を従来型船首バルブと同等に維持することができる。
【００４４】
図６は本発明の更に他の実施形態による波浪中抵抗増加軽減船首形状を示す側面図である。なお、上記実施形態と同一機能部材には同一符号を付して説明を省略する。
【００４５】
本実施形態は、下段バルブ２１の上面２１ａが後方に向けて先端上部から一旦上昇した後、下降し再び上昇して上段バルブ２２に繋がるグーズネック形状を成している。つまり、下段バルブ２１の上面２１ａは、先端側が隆起し後端側が沈降している。
このように形成することで、波の乗り上げ部である下段バルブ２１の上面２１ａをより広く、換言すると波が乗り上がる面積を大きくすることができる。
【００４６】
図７は本発明の更に他の実施形態による波浪中抵抗増加軽減船首形状を示す図であり、図７（ａ）は側面図、図７（ｂ）は正面図、図７（ｃ）は上面図である。なお、上記実施形態と同一機能部材には同一符号を付して説明を省略する。
【００４７】
図７に示すように、本実施形態の波浪中抵抗増加軽減船首形状は、船舶の船首部１０に船首バルブ１２０を有する船首形状である。
船首バルブ１２０のフレームライン１１１を上下２段に形成し、下段バルブ１２１を上段バルブ１２２よりも幅方向に張り出させるとともに、下段バルブ１２１の上面１２１ａが、船舶のバラスト状態での走行時に、船舶毎の代表的な速度として設計時に設定されている航海速力（高速）で波の無い状態である平水中を走行するときに生じる水面の盛り上がり位置であるバラスト状態・静的水位上昇位置ＡＳよりも上方で、かつ航海速力での走行時に波浪（波高が小さい波Ｘｓ〜波高が大きい波ＸＬ）が下段バルブ１２１の上面１２１ａを乗り越える位置となるように形成される。
【００４８】
図７（ｂ）及び図７（ｃ）において、破線２１０は従来型船首バルブ（１段）の形状を仮想的に示している。
バラスト状態での走行時において、破線２１０で示す従来型船首バルブの形状では、船首バルブの上面が高い位置にあるため、波高が大きい波ＸＬが発生する状態であっても、船舶が低〜中速力で走行するときには、波は船首バルブを乗り越えることができない。また、船舶が高速（航海速力）で走行するときであっても、波高がやや大きい波ＸＭ又は小さい波ＸＳが発生する状態の場合には、波は船首バルブを乗り越えることができない。
これに対し、本実施形態においては、上記のようにバラスト状態・静的水位上昇位置ＡＳと波浪を考慮して船首バルブ１２０を上下２段に形成しているので、図１〜図４を用いて説明した船首バルブ２０のステムライン１１を上下２段に形成したときと同様に、波高が波高が大きい波ＸＬが発生する状態において、船舶が高速（航海速力）で走行するときは波高が大きい波ＸＬは上段バルブ１２２の上面１２２ａを乗り越えることができ、船舶が低〜中速力で走行するときは波高が大きい波ＸＬは下段バルブ１２１に形成した波の乗り上げ部である上面１２１ａ（図７（ｃ）斜線部分）を乗り越えることができる。また、波高がやや大きい波ＸＭが発生する状態において、船舶が高速（航海速力）で走行するときはやや大きい波ＸＭは下段バルブ１２１の上面１２１ａを乗り越えることができ、船舶が低〜中速力で走行するときもやや大きい波ＸＭは下段バルブ１２１の上面１２１ａを乗り越えることができる。また、波高が小さい波ＸＳが発生する状態において、船舶が低〜中速力で走行するときは波高が小さい波ＸＳは下段バルブ１２１の上面１２１ａを乗り越えることができないが、船舶が高速（航海速力）で走行するときは波高が小さい波ＸＳであっても下段バルブ１２１の上面１２１ａを乗り越えることができる。
なお、波高が大きい波ＸＬの波高をも超える「非常に大きい波」が発生する状態においては、低速〜中速力のときでも波は上段バルブ１２２の上面１２２ａを乗り越えることもある。
このように、バラスト状態での走行時に、航海速力（高速）のときは船首バルブ１２０にかかる波が小さい場合でも下段バルブ１２１を波（波高が小さい波ＸＳ）が乗り越えることができ、また、低速〜中速力のときでも船首バルブ１２０にかかる波が大きい場合には下段バルブ１２１を波（波高が大きい波ＸＬ、波高がやや大きい波ＸＭ）が乗り越えることができる。したがって、バラスト状態での航海速力（高速）走行時に波浪中での抵抗増加が大きくなってしまう要因である波高が小さい波ＸＳ、波高が大きい波ＸＬ、また低速〜中速力での波高が大きい波ＸＬに対して、波浪が下段バルブ１２１の上面１２１ａを乗り越えることができるので、航海速力（高速）で走行するときだけでなく、低〜中速力で走行するときにも従来型船首バルブに比べて波浪中抵抗増加を軽減することができる。
また、上段バルブ１２２を三角形状に形成できるので、波から受ける抵抗をさらに少なくすることができる。
【００４９】
また、本実施形態においては、フレームライン１１１の下段バルブ１２１の両側の上端部の変曲部位１３０を、船舶のバラスト状態での静止時の静止水面位置Ｂよりも上方に位置するように形成している。このように形成することで、バラスト状態での波浪中の走行時において、船首バルブ１２０を波が乗り越えることによる波浪中抵抗増加軽減効果を確実に得ることができる。
また、従来型船首バルブの側端側の一部を切り取るようにして船首バルブ１２０を上下２段に形成しているので、従来型船首バルブを船舶に適用する場合と比べて船幅は変わらない。
【００５０】
さらに、本実施形態においては、上段バルブ１２２の上面１２２ａを、船舶の満載状態での走行時に、航海速力（高速）で波の無い状態である平水中を走行するときに生じる水面の盛り上がり位置である満載状態・静的水位上昇位置ＡＬよりも下方に位置するように形成している。満載状態・静的水位上昇位置ＡＬよりも下方に位置するように上段バルブ１２２の上面１２２ａを形成することで、満載状態での走行時において、船首バルブ１２０による造波抵抗減少効果を確実に得ることができる。
【００５１】
図８は本発明の更に他の実施形態による波浪中抵抗増加軽減船首形状を示す図であり、図８（ａ）は上面図、図８（ｂ）は正面図である。なお、上記実施形態と同一機能部材には同一符号を付して説明を省略する。
【００５２】
本実施形態は、下段バルブ１２１を平面視した状態での接線の成す角度として、上部の角度を下部の角度よりも大きく設定している。このように設定することで、下段バルブ１２１の、波が乗り上がる部分である上面１２１ａを広くすることができ、低速〜中速力で走行するときの波浪中抵抗増加をさらに軽減することができる。
【００５３】
図９は本発明の更に他の実施形態による波浪中抵抗増加軽減船首形状を示す図であり、図９（ａ）は上面図、図９（ｂ）は正面図である。なお、上記実施形態と同一機能部材には同一符号を付して説明を省略する。
【００５４】
本実施形態は、下段バルブ１２１を上段バルブ１２２よりも幅方向に張り出させて船首バルブ１２０のフレームライン１１１を上下２段に形成し、さらに、上段バルブ１２２の側端上部を幅方向へ張り出してフレームライン１１１を上下２段に形成している。なお、上段バルブ１２２の張り出した側端上部の部分は、下段バルブ１２１の側端よりも外側方には張り出していない。
このように、上段バルブ１２２を部分的に幅方向に再張り出しさせることによって、上段バルブ１２２の波が乗り上がる部分である上面１２２ａを広くすることができ、上段バルブ１２２を乗り越える波高が大きい波ＸＬが発生する状態において、船首バルブ１２０による波浪中抵抗軽減効果を高めることができる。また、満載状態での走行時において、船首バルブ１２０による造波抵抗減少効果を従来型船首バルブと同等に維持することができる。
また、上段バルブ１２２を三角形状に形成できるので、波から受ける抵抗をさらに少なくすることができる。
【００５５】
図１０は本発明の更に他の実施形態による波浪中抵抗増加軽減船首形状を示す図であり、図１０（ａ）は側面図、図１０（ｂ）は正面図、図１０（ｃ）は上面図である。なお、上記実施形態と同一機能部材には同一符号を付して説明を省略する。
【００５６】
本実施形態は、船首バルブ１２０はフレームライン１１１を上下２段に形成し、下段バルブ１２１を上段バルブ１２２よりも幅方向に張り出させるとともに、下段バルブ１２１の上面１２１ａが、船舶のバラスト状態での走行時に、船舶毎の代表的な速度として設計時に設定されている航海速力（高速）で波の無い状態である平水中を走行するときに生じる水面の盛り上がり位置であるバラスト状態・静的水位上昇位置ＡＳよりも上方で、かつ航海速力での走行時に波浪（波高が小さい波Ｘｓ〜波高が大きい波ＸＬ）が下段バルブ１２１の上面１２１ａを乗り越える位置となるように形成されており、さらに、下段バルブ１２１の上面１２１ａの下方近傍に造波を誘起させる突起４０を形成している。
突起４０が無い場合のバラスト状態・静的水位上昇位置はＡＳであるが、船首バルブ１２０に突起４０を形成することで、船首バルブ１２０にかかる波が誘起されて大きくなり、バラスト状態・静的水位上昇位置はＡＳＬとなる。したがって、船速が中速又は低速時であっても船首バルブ１２０を波が乗り越えやすくなり、波浪中抵抗増加軽減効果を大きくすることができる。
なお、突起４０は、図１０（ａ）に示すように、前下がりとなるように船首バルブ１２０に形成することが好ましい。このように形成することで波が誘起されやすくなる。
【００５７】
また、突起４０は、船舶の幅方向に収納、張り出し可能に構成している。このように構成することで必要に応じて突起４０を張り出したり収納したりすることができる。したがって、満載時等、突起４０が水面より下方となる場合などは収納し、突起４０による摩擦抵抗増加を軽減することができる。
【００５８】
図１１は本発明の更に他の実施形態による波浪中抵抗増加軽減船首形状を示す正面図である。なお、上記実施形態と同一機能部材には同一符号を付して説明を省略する。
【００５９】
本実施形態は、下段バルブ１２１の上面１２１ａが後方に向けて先端上部から一旦上昇した後、下降し再び上昇して上段バルブ１２２に繋がるグーズネック形状を成している。つまり、下段バルブ１２１の上面１２１ａは、先端側が隆起し後端側が沈降している。
このように形成することで、波の乗り上げ部である下段バルブ１２１の上面１２１ａをより広く、換言すると波が乗り上がる面積を大きくすることができる。
【００６０】
なお、上記の各実施例において説明した本発明による波浪中抵抗増加軽減船首形状は、船舶に採用することができる。したがって、バラスト状態での走行時における船舶の波浪中抵抗増加を軽減することができる。
【００６１】
また、本発明による波浪中抵抗増加軽減船首形状は、肥大船に採用することができる。したがって、肥大船において、バラスト状態での走行時における波浪中抵抗増加を軽減することができる。
【００６２】
さらに、船舶の機関の回転数設定器に目印を付けたり、段階的な速度設定にしたりするなど、船舶の速度設定手段を、航海速力を含めた波浪中抵抗増加軽減に対応した速力が設定可能な構成とした場合には、波浪が下段バルブ２１（１２１）の上面２１ａ（１２１ａ）を乗り越える位置となるような船の速力を容易に設定することができる。したがって、船首バルブ２０（１２０）による波浪中抵抗増加軽減効果を確実に得ることができる。
【産業上の利用可能性】
【００６３】
本発明によれば、船舶がバラスト状態であっても波浪中抵抗増加を軽減できる、波浪中抵抗増加軽減船首形状及び波浪中抵抗増加軽減船首形状を有した船舶を提供することができる。
【符号の説明】
【００６４】
１０  船首部
１１  ステムライン
２０、１２０  船首バルブ
２１、１２１  下段バルブ
２２、１２２  上段バルブ
３０、１３０  変曲部位
１１１  フレームライン
ＡＬ  満載状態・静的水位上昇位置
ＡＳ  バラスト状態・静的水位上昇位置
Ｂ  静止水面位置
Ｃ  満載喫水線
ＸＬ  波浪（波高が大きい波）
ＸＳ  波浪（波高が小さい波）
【図１】
0006460754.tif 000002
【図２】
0006460754.tif 000003
【図３】
0006460754.tif 000004
【図４】
0006460754.tif 000005
【図５】
0006460754.tif 000006
【図６】
0006460754.tif 000007
【図７】
0006460754.tif 000008
【図８】
0006460754.tif 000009
【図９】
0006460754.tif 000010
【図１０】
0006460754.tif 000011
【図１１】
0006460754.tif 000012
【図１２】
0006460754.tif 000013
【図１３】
0006460754.tif 000014